(57)【要約】【課題】溶着性ビーズ玩具の集合体を保持トレイから取り外す工具類を別途用意することなく楽しめる溶着性ビーズ玩具用作成台を提供する。【解決手段】溶着性ビーズ玩具用作成台１は、本体部１０と、本体部１０に設けられるガイド部４０，５０と、本体部１０に設けられ、溶着性ビーズ玩具が載置される複数の凹部２１を備える保持トレイ２０と、保持トレイ２０に亘って設けられて、ヘラ部３５とガイド部４０，５０と係合する被ガイド部３１，３２を備えるスクレイパー３０と、を有する。【選択図】    図１
2018143640.tif 000002
【特許請求の範囲】
【請求項１】
本体部と、
前記本体部に設けられるガイド部と、
前記本体部に設けられ、溶着性ビーズ玩具が載置される複数の凹部を備える保持トレイと、
前記保持トレイに亘って設けられ、ヘラ部と前記ガイド部と係合する被ガイド部とを備えるスクレイパーと、
を有することを特徴とする溶着性ビーズ玩具用作成台。
【請求項２】
前記スクレイパーは、往復動可能に形成され、
前記ヘラ部は、往動方向及び復動方向に向けて夫々設けられることを特徴とする請求項１に記載の溶着性ビーズ玩具用作成台。
【請求項３】
前記ガイド部は、上面から取り付ける上方移動規制部材を備え、
前記被ガイド部の一部は、前記本体部の上面と前記上方移動規制部材との間に位置されることを特徴とする請求項１又は請求項２に記載の溶着性ビーズ玩具用作成台。
【請求項４】
前記ガイド部と前記被ガイド部は、摺動自在に凹凸係合されることを特徴とする請求項１乃至請求項３の何れか記載の溶着性ビーズ玩具用作成台。
【請求項５】
前記本体部には、前記スクレイパーの移動方向における前記保持トレイの外側に前記スクレイパーの下面を支持する支持部が設けられることを特徴とする請求項１乃至請求項４の何れか記載の溶着性ビーズ玩具用作成台。
【発明の詳細な説明】
【技術分野】
【０００１】
本発明は、保持トレイに載置された複数の溶着性ビーズ玩具を保持トレイから取り外すためのスクレイパーを備える溶着性ビーズ玩具用作成台に関する。
【背景技術】
【０００２】
従来から、水溶性樹脂で形成された粒状のビーズを用いた溶着性ビーズ玩具が提供されている。特許文献１には、溶着性ビーズ玩具が載置されるよう複数の凹部が形成される保持トレイと、ベーストレイと、保持トレイとベーストレイとの間に差し込むシートを備えるビーズ玩具セットが開示されている。ここで、このシートには、図柄が記載されており、使用者はこの図柄に合わせて溶着性ビーズ玩具を保持トレイに配置することで、種々の形状の溶着性ビーズ玩具の集合体を作成することができる。
【０００３】
この溶着性ビーズ玩具は、例えば、ポリビニルアルコールを樹脂に配合して混練して粒状に形成される。そして、溶着性ビーズ玩具を保持トレイに載置した後、霧吹き等により水を溶着性ビーズ玩具に供給して湿潤状態とすることで、溶着性ビーズ玩具は溶融する。その後、所定時間放置して乾燥させると、溶融した樹脂が硬化し、溶着性ビーズ玩具同士が結合する。このようにして、主な使用者である子供は、所望の図柄の溶着性ビーズ玩具の集合体を作成して楽しむことができる。
【先行技術文献】
【特許文献】
【０００４】
【特許文献１】実用新案登録第３１３１２９２号公報
【発明の概要】
【発明が解決しようとする課題】
【０００５】
溶着性ビーズ玩具の集合体の硬化は、保持トレイに載置したまま待つことになる。しかしながら、新たな溶着性ビーズ玩具の集合体の作成をすぐにでも始めたい場合がある。この場合、溶着性ビーズ玩具の集合体が乾燥して硬化する前に保持トレイから取り外すことが考えられるが、硬化前に手で取り外すと折角作成した溶着性ビーズ玩具の集合体が分離してしまうことがある。また、保持トレイをひっくり返して溶着性ビーズ玩具の集合体を保持トレイから取り外すこともできるが、この場合には凹部に溜まった糊状の成分を含む水が飛散して、机上等を汚してしまう。また、ヘラ等の工具類で硬化前の溶着性ビーズ玩具の集合体を保持トレイから取り外すことが考えられる。しかしながら、ヘラ等の工具類を別途準備する手間や、保持トレイと工具類を別個に保管しなければならない等の不具合もある。
【０００６】
本発明は、完全に硬化する前に溶着性ビーズ玩具の集合体を保持トレイから取り外す工具類を別途用意することなく楽しめる溶着性ビーズ玩具用作成台を提供することを目的とする。
【課題を解決するための手段】
【０００７】
本発明の一つの態様に係る溶着性ビーズ玩具用作成台は、本体部と、前記本体部に設けられるガイド部と、前記本体部に設けられ、溶着性ビーズ玩具が載置される複数の凹部を備える保持トレイと、前記保持トレイに亘って設けられ、ヘラ部と前記ガイド部と係合する被ガイド部を備えるスクレイパーと、を有する。
【発明の効果】
【０００８】
上記の態様によれば、完全に硬化する前に溶着性ビーズ玩具の集合体を保持トレイから取り外す工具類を別途用意することなく楽しく遊ぶことができる溶着性ビーズ玩具用作成台を提供することができる。
【図面の簡単な説明】
【０００９】
【図１】本発明の実施形態に係る溶着性ビーズ玩具用作成台の斜視図である。
【図２】本発明の実施形態に係る溶着性ビーズ玩具用作成台の図１のＩＩ−ＩＩ断面図である。
【図３】本発明の実施形態に係る溶着性ビーズ玩具用作成台の図２のＩＩＩ−ＩＩＩ断面におけるスクレイパーのみを示す断面図である。
【図４】本発明の実施形態に係る溶着性ビーズ玩具用作成台の保持トレイから溶着性ビーズ玩具の集合体を取り外している状態を示す斜視図である。
【発明を実施するための形態】
【００１０】
次に、図に基づいて本発明の実施形態を説明する。図１に示すように、溶着性ビーズ玩具用作成台１は、本体部１０の上面に設けられる保持トレイ２０に溶着性ビーズ玩具８０（図４参照）を複数載置して、所望の図柄の溶着性ビーズ玩具８０の集合体を形成するための作成台である。そして、溶着性ビーズ玩具用作成台１は、保持トレイ２０に亘って設けられるスクレイパー３０により、保持トレイ２０に載置した溶着性ビーズ玩具８０の集合体が完全に硬化して結合するまでの所定時間よりも短い時間で溶着性ビーズ玩具８０の集合体を取り外すための作成台である。
【００１１】
溶着性ビーズ玩具用作成台１は、図１の左右方向を長手方向とする略長矩形板状に形成される本体部１０を備える。本体部１０の外周縁を形成する枠１１は、本体部１０の上面１２の周縁から立設する壁枠１１ａを備える。壁枠１１ａは、図１の上側の壁枠１１ａ１及び、順次図１において時計回りに右側の壁枠１１ａ２、下側の壁枠１１ａ３、左側の壁枠１１ａ４の４方の壁枠１１ａが接続して形成される。枠１１は、図２の断面視において壁枠１１ａの上端から外方向に向けて角Ｒ状に枠上面１１ｂが形成されて、その外側端から下方に外壁１１ｃが形成される。同様に、図２の断面視において、枠上面１１ｂの下面からは、下方に延びるリブ１１ｄが形成される。本体部１０の枠１１は、図１の上側２箇所の角部１１ｅ，１１ｆを角Ｒ状に形成される。
【００１２】
本体部１０の上面１２には、長矩形状の保持トレイ２０が形成される。保持トレイ２０の上面は、本体部１０の上面１２よりも若干高い位置に形成され、この保持トレイ２０の上面には、溶着性ビーズ玩具８０が載置される凹部２１が複数形成される。凹部２１は、貫通していない穴であり、溶着性ビーズ玩具８０の直径よりも小さく形成される。複数の凹部２１は、行及び列をなして、異なる行又は列の凹部２１はオフセットして配置される。
【００１３】
保持トレイ２０の長手方向の２か所（すなわち、図１の上下２か所）の縁部には、保持トレイ２０（すなわち本体部１０）の長手方向に沿って長いガイド部４０，５０が形成される。ガイド部４０，５０は、上面１２から立設するガイド壁４１，５１を備える。ガイド壁４１，５１の長手方向の端部は、図１における右側の壁枠１１ａ２及び左側の壁枠１１ａ４と接続される。ガイド壁４１，５１は、保持トレイ２０に対応する位置においては保持トレイ２０の周縁と接続し、保持トレイ２０の外側では本体部１０の上面１２と接続する。
【００１４】
本体部１０には、保持トレイ２０の長手方向における両外側縁部分から夫々壁枠１１ａ２及び壁枠１１ａ４に亘って、退避領域６０が形成される。各退避領域６０は、上面１２が露出して凹状とされて、保持トレイ２０の短手方向の側面２２ａ，２２ｂと、対向するガイド壁４１，５１の各壁面４１ａ，５１ａと、図１における右側の壁枠１１ａ２及び左側の壁枠１１ａ４と、で囲まれる領域が形成される。この各退避領域６０の上面１２から上方に星形枠状の支持部６１が形成される。支持部６１は、左右の退避領域６０に、それぞれ３個ずつ設けられる。支持部６１の上端面は、本体部１０の上面１２からの高さが、上面１２から保持トレイ２０の上面までの高さと略同一の高さとされ、支持部６１の上端面と保持トレイ２０の上面は連続して形成される。
【００１５】
ガイド部４０，５０には、上方移動規制部材４２，５２が設けられる。上方移動規制部材４２，５２は、ガイド壁４１，５１よりもさらに外側に配置され、ガイド壁４１，５１と略平行に長尺状に形成される。上方移動規制部材４２，５２は、両端部を夫々壁枠１１ａ２，１１ａ４に接続する。図２に示すように、上方移動規制部材４２は、ガイド壁４１の長手方向沿って延設される平板状の押え板部４２ａを備える。押え板部４２ａは、本体部１０の上面１２と平行な上方にその下面が位置するよう所定の間隔を隔てて配置される。押え板部４２ａの基部は、固定部材４２ｂの内側壁面に接続される。固定部材４２ｂは、断面視凹溝状に形成されて、その開口側を本体部１０の上面１２に固定する。一方、上方移動規制部材５２は、断面視略溝状とされて、内側壁５２ａと、水平壁５２ｂと、外側壁５２ｃとからなる。内側壁５２ａの先端縁面は、本体部１０の上面１２と所定の間隔を隔てた位置に配置される。上方移動規制部材５２の外側壁５２ｃは、本体部１０の上面１２と固定される。
【００１６】
このように、本体部１０は、枠１１や保持トレイ２０、ガイド壁４１，５１、支持部６１が一体として形成され、上方移動規制部材４２，５２は、別体として本体部１０の上面１２に固定される。
【００１７】
スクレイパー３０は、保持トレイ２０の短手方向に亘って設けられる。スクレイパー３０は、凸状のガイド壁４１，５１と係合する凹溝状の被ガイド部３１，３２を備えて、ガイド壁４１，５１に沿って移動する。被ガイド部３１は、凹溝状に形成される係合部３１ａを備える。係合部３１ａの凹部には、ガイド壁４１が挿入されて、摺動自在に凹凸係合される。すなわち、ガイド壁４１の外側面と、この面に対向する係合部３１ａの面は摺動される。係合部３１ａにおけるスクレイパー３０の長手方向の外側面からは、平板状に突起板３１ｂが突出する。突起板３１ｂは、本体部１０の上面１２と、押え板部４２ａの下面との間に挿入されて、両者間の長手方向に摺動自在に係合される。すなわち、突起板３１ｂの下面と、ガイド部４０における本体部１０の上面１２は摺動する。また、押え板部４２ａにより、突起板３１ｂの上方への移動が規制される。
【００１８】
被ガイド部３２は、凹溝状に形成される係合部３２ａを備える。係合部３２ａの凹部には、ガイド壁５１が挿入されて、摺動自在に係合される。すなわち、ガイド壁５１の外側面と、この面に対向する係合部３２ａの面が摺動される。さらに、被ガイド部３２の下面は、ガイド部５０における本体部１０の上面１２と摺動する。また、被ガイド部３２の上面には、星形のつまみ部３３が設けられる。
【００１９】
被ガイド部３１と被ガイド部３２との間には、保持トレイ２０に亘ってスクレイパー本体部３４が設けられる。スクレイパー本体部３４は、保持トレイ２０における短手方向に長い略長矩形状とされる。スクレイパー本体部３４には、ヘラ部３５がスクレイパー本体部３４の長手方向に沿って両側縁に配置される。ヘラ部３５は、上面視において半円形状の凸部が繰り返して形成される凹凸形状とされている。
【００２０】
また、スクレイパー本体部３４の上面には、複数のリブ３６が設けられる。リブ３６は、スクレイパー本体部３４の短手方向に長く形成される。リブ３６の軸線は、ヘラ部３５の凸部の中心に合致するよう配置される。そして、図３に示すように、スクレイパー本体部３４の下面は水平な平坦面とされ、上面は、中央部の高さが高い断面視山形状に形成される。リブ３６も、中央部の高さが高い断面視山形状に形成される。
【００２１】
溶着性ビーズ玩具用作成台１の使い方は、以下の通りである。保持トレイ２０上に複数の溶着性ビーズ玩具８０を載置して霧吹き等で水を吹き付ける。そして、スクレイパー３０を移動させる。すると、ヘラ部３５が保持トレイに対して水平方向に移動し、完全に硬化する前の早い段階で、ヘラ部３５で溶着性ビーズ玩具８０の集合体を保持トレイ２０から取り外すことができる。スクレイパー３０のヘラ部３５により、端から順次溶着性ビーズ玩具８０を取り外すので、完全に硬化していない状態でも取り外すことができる。
【００２２】
特に、ヘラ部３５が半円形状の凸部を有しているので、溶着性ビーズ玩具８０間の隙間に半円形状の凸部を挿入させることができる。そのため、溶着性ビーズ玩具８０を保持トレイ２０から取り外し易い。さらに、取り外された溶着性ビーズ玩具８０は、リブ３６間上に浮き上がるようにして導かれるので、スクレイパー本体部３４の上面に湿潤した溶着性ビーズ玩具８０が固着する等の不具合が低減される。また、往復動するスクレイパー３０は、退避領域６０に退避させておくことができる。
【００２３】
以上のような本発明の実施形態によれば、下記の態様の溶着性ビーズ玩具用作成台を提供することができる。
【００２４】
第１の態様に係る溶着性ビーズ玩具用作成台は、本体部と、前記本体部に設けられるガイド部と、前記本体部に設けられ、溶着性ビーズ玩具が載置される複数の凹部を備える保持トレイと、前記保持トレイに亘って設けられ、ヘラ部と前記ガイド部と係合する被ガイド部を備えるスクレイパーと、を有する。
【００２５】
この構成によれば、ガイドに沿ってスクレイパーを移動することにより、ヘラが保持トレイに対して水平方向に移動できるので、溶着性ビーズ玩具の集合体が完全に硬化する前に保持トレイから溶着性ビーズ玩具の集合体を取り外すためのスクレイパーを備えた溶着性ビーズ玩具用作成台を提供することができる。そして、保持トレイとスクレイパーを分離することなく保管することができるので、次の溶着性ビーズ玩具の集合体の作成を素早く行うことができ、子供は楽しく遊ぶことができる。
【００２６】
第２の態様に係る溶着性ビーズ玩具作成台は、前記スクレイパーは、往復動可能に形成され、前記ヘラ部は、往動方向及び復動方向に向けて夫々設けられる。
【００２７】
この構成によれば、スクレイパーを往動させても復動させても溶着性ビーズ玩具の集合体を取り外すことができるので、更に素早く容易に次の溶着性ビーズ玩具の集合体の制作に取り組むことができる。
【００２８】
第３の態様に係る溶着性ビーズ玩具用作成台は、前記ガイド部は、上面から取り付ける上方移動規制部材を備え、前記被ガイド部の一部は、前記本体部の上面と前記上方移動規制部材との間に位置される。
【００２９】
この構成によれば、スクレイパーが溶着性ビーズ玩具用作成台から取り外されてしまうことが低減される。
【００３０】
第４の態様に係る溶着性ビーズ玩具用作成台は、前記ガイド部と前記被ガイド部は、摺動自在に凹凸係合される。
【００３１】
この構成によれば、ガイド部及び被ガイド部を凹凸係合させれば、スクレイパーの移動を確実にガイドできるので、簡単な構造でより壊れ難い溶着性ビーズ玩具用作成台を提供することができる。
【００３２】
第５の態様に係る前記本体部は、前記スクレイパーの移動方向における前記保持トレイの外側に前記スクレイパーの下面を支持する支持部が設けられる。
【００３３】
この構成によれば、スクレイパーが保持トレイを超えた領域（例えば退避領域）を設けた場合に、スクレイパーの当該領域への侵入や離脱を容易に防止することができる。
【００３４】
以上、本発明の実施形態を説明したが、本発明は本実施形態によって限定されることはなく、種々の形態で実施することができる。例えば、本実施形態ではヘラ部３５を往動方向及び復動方向の２箇所に設けたが、何れか一方のみとすることができる。また、ヘラ部２５の形状は、凹凸形状に限られず、直線状等種々の形状のヘラ部とすることができる。また、溶着性ビーズ玩具用作成台１に用いる溶着性ビーズ玩具は、球形に限られず、多面体等種々の形態の溶着性ビーズ玩具を用いることができる。また、保持トレイ２０の形態も、凹部２１を貫通させて、下方に水受け皿を設ける等、種々の形態とすることができる。また、スクレイパー３０の移動をガイドするガイド部４０，５０は、スクレイパー３０の移動方向に対して両側に設けたが、片側のみガイドするよう構成しても良い。しかしながら、スクレイパー３０の移動方向に対して両側にガイド部を設けることで、スクレイパー３０の移動時の偏心が防止される。また、ガイド部４０，５０と被ガイド部３１，３２の係合は、ガイド部４０，５０に凸状のガイド壁４１，５１を設け、被ガイド部３１，３２に凹溝状の係合部３１ａ，３２ａを設けて摺動可能な凹凸係合としたが、これとは逆に、ガイド部４０，５０に凹状の部位を形成し、被ガイド部３１，３２に凸状の部位を形成して摺動可能な凹凸係合としてもよい。
【符号の説明】
【００３５】
１        溶着性ビーズ玩具用作成台      １０      本体部
１１      枠
１１ａ，１１ａ１〜４  壁枠
１１ｂ    枠上面                        １１ｃ    外壁
１１ｄ    リブ                          １１ｅ    角部
１１ｆ    角部                          １２      上面
２０      保持トレイ                    ２１      凹部
２２ａ    側面                          ２２ｂ    側面
３０      スクレイパー                  ３１      被ガイド部
３１ａ    係合部                        ３１ｂ    突起板
３２      被ガイド部                    ３２ａ    係合部
３３      つまみ部                      ３４      スクレイパー本体部
３５      ヘラ部                        ３６      リブ
４０      ガイド部                      ４１      ガイド壁
４１ａ    壁面                          ４２      上方移動規制部材
４２ａ    押え板部                      ４２ｂ    固定部材
５０      ガイド部                      ５１      ガイド壁
５１ａ    壁面                          ５２      上方移動規制部材
５２ａ    内側壁                        ５２ｂ    水平壁
５２ｃ    外側壁                        ６０      退避領域
６１      支持部                        ８０      溶着性ビーズ玩具
【図１】
2018143640.tif 000003
【図２】
2018143640.tif 000004
【図３】
2018143640.tif 000005
【図４】
2018143640.tif 000006